(57)【要約】      （修正有）【課題】多分割して展示される展示物パネルにおいて、夫々の展示物を適宜に取り替えることが可能な展示パネルを提供する。【解決手段】パネル枠体の長手方向に一列に、又は、少なくとも一辺の枠部材の側面を露出させた状態で複数の額縁を並設固定すると共に、額縁は４本の枠部材１と隅連結部材２とからなり、枠部材は長手方向軸線のまわりに回動するようにされ中仕切１ａによって第１の空間Ａと第２の空間Ｂとが形成され、中仕切が回動係止部１ｂを有すると共に、隅連結部材２に回動係止部１ｂに係止される回動停止部２ａが夫々設けられており、展示物Ｃを枠部材を回動させてパネル枠体の表面と平行する方向から挿脱可能とした。【選択図】図４
2006195026.tif 000002
【特許請求の範囲】
【請求項１】
縦桟体と横桟体で夫々矩形状に組設された一対のパネル枠体の上方辺にヒンジ部を介装して枢動自在とした展示用パネルにおいて、前記夫々のパネル枠体の表面の長手方向に複数の額縁を一列に並設固定すると共に、夫々の額縁は定められた長さの４本の枠部材と、該４本の枠部材を矩形状に組み付ける隅連結部材とからなり、前記夫々の枠部材はその長手方向軸線のまわりに回動するようにされ中仕切によって第１の部分と第２の部分に分割され、前記第１の部分は収容される展示物等の周縁を支持する第１の空間を定めるように形成され、前記第２の部分は前記隅連結部材が固定される第２の空間を定めるように形成され、前記中仕切が回動係止部を有すると共に、前記隅連結部材の上部及び下部に前記中仕切の回動係止部に係止される回動停止部が夫々設けられており、前記展示物等を一つの枠部材を回動させてパネル枠体の表面と平行する方向から挿脱可能としたことを特徴とする展示用パネル。
【請求項２】
縦桟体と横桟体で夫々矩形状に組設された一対のパネル枠体の上方辺にヒンジ部を介装して枢動自在とした展示用パネルにおいて、前記夫々のパネル枠体の表面に少なくとも一辺の枠部材の側面を露出させた状態で複数の額縁を並設固定すると共に、夫々の額縁は定められた長さの４本の枠部材と、該４本の枠部材を矩形状に組み付ける隅連結部材とからなり、前記夫々の枠部材はその長手方向軸線のまわりに回動するようにされ中仕切によって第１の部分と第２の部分に分割され、前記第１の部分は収容される展示物等の周縁を支持する第１の空間を定めるように形成され、前記第２の部分は前記隅連結部材が固定される第２の空間を定めるように形成され、前記中仕切が回動係止部を有すると共に、前記隅連結部材の上部及び下部に前記中仕切の回動係止部に係止される回動停止部が夫々設けられており、前記展示物等を一つの枠部材を回動させてパネル枠体の表面と平行する方向から挿脱可能としたことを特徴とする展示用パネル。
【発明の詳細な説明】
【技術分野】
【０００１】
本発明は展示用パネルに関するものであり、更に、詳細には、展示場や店頭、道路案内等のＡ型展示パネルと称される展示用パネルであって、２枚の展示用パネルを背中合わせに立てかけた展示用パネルに関するものである。
【背景技術】
【０００２】
従来、この種のＡ型展示パネルは展示場や店頭、道路案内、街頭等で頻繁に見かけるものであるが、縦桟体と横桟体で夫々矩形状に組設された一対のパネル枠体の夫々に一枚物のシート状物に広告や道案内を展示したものが殆どであり、展示面を多分割して夫々に展示物を展示して、夫々の展示物を適宜に取り替えられるＡ型展示パネルが提案されれば多用途に使用されることが期待できるが、現状その発想すら無く、その要因として展示物の取り替えに手間暇係ることが考慮される。
【０００３】
例えば、先に開示されている、情報１を記載した平板状の表示板２と、この表示板２の縁部２ａを係止して表示板２を保持する額縁状の本体枠３とを備え、表示板２は、本体枠３に対して取り替え可能なものであり、本体枠３は、本体枠３の上下左右の少なくとも一方の方向に設けられ、表示板２を挿脱自在な開口部６と、この開口部６を開閉可能な蓋部７とを有しているもの（特許文献１参照）や、縦枠杆１，２と、当該縦枠杆１，２の上端に固設する天部横枠杆３とを金属材料で形成する。 当該縦枠杆１，２と天部横枠杆３で形成される枠体内に、表示パネル板(４)を抜き差し自在に差し込むと共に、当該表示パネル板４の下縁を支えるためのパネル受け枠５を、縦枠杆１，２に対して着脱自在に固定するもの（特許文献２参照）や、装飾面を有する平板を備えた複数のパネルを所定形状に配列し、複数のパネルのうち、少なくとも一対の隣接するパネルには、互いのパネルを固定し着脱自在に連結する連結機構を備える。パネルの平面上には剥離層を設けるもの（特許文献３参照）等が開示されている。
【特許文献１】実用新案登録第３１０５７６３号公報
【特許文献２】実用新案登録第３０３６７６６号公報
【特許文献３】特開２００２−３２０４３号公報
【発明の開示】
【発明が解決しようとする課題】
【０００４】
然し乍ら、先に開示された情報１を記載した平板状の表示板２と、この表示板２の縁部２ａを係止して表示板２を保持する額縁状の本体枠３とを備え、表示板２は、本体枠３に対して取り替え可能なものであり、本体枠３は、本体枠３の上下左右の少なくとも一方の方向に設けられ、表示板２を挿脱自在な開口部６と、この開口部６を開閉可能な蓋部７とを有しているものでは、一枚の表示板２の取り替えるための開口部６を上下左右の少なくとも一方の方向に設けたものであり、本体枠３に開口部６と蓋部７とを有しているもので、看板そのものが矩形状に形成された額縁と同構造であり、額縁の下辺に脚部を延設したものに過ぎないものである。
【０００５】
更に、縦枠杆１，２と、当該縦枠杆１，２の上端に固設する天部横枠杆３とを金属材料で形成する。 当該縦枠杆１，２と天部横枠杆３で形成される枠体内に、表示パネル板(４)を抜き差し自在に差し込むと共に、当該表示パネル板４の下縁を支えるためのパネル受け枠５を、縦枠杆１，２に対して着脱自在に固定するものでは、表示パネル板(４)を抜き差し自在に差し込むことを目的としているものであるが、下縁を支えるためのパネル受け枠５を、縦枠杆１，２に対して着脱自在に固定したもので、表示パネル板(４)の抜き差しは下方向からしなければならない上、パネル受け枠５の着脱をビスとナットで行っており、表示パネル板(４)の取り替えが手間暇係るものである。
【０００６】
更には、装飾面を有する平板を備えた複数のパネルを所定形状に配列し、複数のパネルのうち、少なくとも一対の隣接するパネルには、互いのパネルを固定し着脱自在に連結する連結機構を備える。パネルの平面上には剥離層を設けるものでは、複数のパネルを展設して、不要時にはコンパクトに収納できるものであるが、展示物の取り替えが手間暇係るものとなっている。
【課題を解決するための手段】
【０００７】
本発明の展示用パネルは、前述の課題に鑑み、鋭意研鑽の結果、縦桟体と横桟体で矩形状に組設された一対のパネル枠体の上方辺にヒンジ部を介装した展示用パネルにおいて、パネル枠体の長手方向に複数の額縁を一列に並設固定、又は、パネル枠体に少なくとも一辺の枠部材を露出させた状態で複数の額縁を並設固定すると共に、額縁は定められた長さの４本の枠部材と、４本の枠部材を矩形状に組み付ける隅連結部材とからなり、枠部材はその長手方向軸線のまわりに回動するようにされ中仕切によって第１の部分と第２の部分に分割され、第１の部分は収容される展示物等の周縁を支持する第１の空間を定めるように形成され、第２の部分は前記隅連結部材が固定される第２の空間を定めるように形成され、中仕切が回動係止部を有すると共に、隅連結部材の上部及び下部に中仕切の回動係止部に係止される回動停止部が夫々設けられており、展示物等を一つの枠部材を回動させてパネル枠体の表面と平行する方向から挿脱可能としたものである。
【発明の効果】
【０００８】
本発明の展示用パネルは、一対のパネル枠体の表面に夫々枠部材がその長手方向軸線のまわりに回動する複数の額縁を少なくとも一辺の枠部材を露出させた状態で並設固定させたことで、展示物を額縁単位で部分的に自在に且つ容易に取り替えることができ、多用途に用いられる可能性があり、簡易な構造でデザイン的にも優れた展示を可能とするもので、画期的で極めて実用性の高い発明である。
【発明を実施するための最良の形態】
【０００９】
本発明は展示用パネルに関するものであり、更に、詳細には、展示場や店頭、道路案内等のＡ型展示パネルと称される展示用パネルであって、２枚の展示用パネルを背中合わせに立てかけた展示用パネルに関するものであり、請求項１に記載の展示用パネルは、縦桟体と横桟体で夫々矩形状に組設された一対のパネル枠体Ｐａの上方辺にヒンジ部Ｐｂを介装して枢動自在とした展示用パネルＰにおいて、前記夫々のパネル枠体Ｐａの表面の長手方向に複数の額縁Ｇを一列に並設固定すると共に、夫々の額縁Ｇは定められた長さの４本の枠部材１と、該４本の枠部材１を矩形状に組み付ける隅連結部材２とからなり、前記夫々の枠部材１はその長手方向軸線のまわりに回動するようにされ中仕切１ａによって第１の部分と第２の部分に分割され、前記第１の部分は収容される展示物Ｃ等の周縁を支持する第１の空間Ａを定めるように形成され、前記第２の部分は前記隅連結部材２が固定される第２の空間Ｂを定めるように形成され、前記中仕切１ａが回動係止部１ｂを有すると共に、前記隅連結部材２の上部及び下部に前記中仕切１ａの回動係止部１ｂに係止される回動停止部２ａが夫々設けられており、前記展示物Ｃ等を一つの枠部材１を回動させてパネル枠体Ｐａの表面と平行する方向から挿脱可能としたことを特徴とするものである。
【００１０】
更に、請求項２に記載の展示用パネルは、縦桟体と横桟体で夫々矩形状に組設された一対のパネル枠体Ｐａの上方辺にヒンジ部Ｐｂを介装して枢動自在とした展示用パネルＰにおいて、前記夫々のパネル枠体Ｐａの表面に少なくとも一辺の枠部材１の側面を露出させた状態で複数の額縁Ｇを並設固定すると共に、夫々の額縁Ｇは定められた長さの４本の枠部材１と、該４本の枠部材１を矩形状に組み付ける隅連結部材２とからなり、前記夫々の枠部材１はその長手方向軸線のまわりに回動するようにされ中仕切１ａによって第１の部分と第２の部分に分割され、前記第１の部分は収容される展示物Ｃ等の周縁を支持する第１の空間Ａを定めるように形成され、前記第２の部分は前記隅連結部材２が固定される第２の空間Ｂを定めるように形成され、前記中仕切１ａが回動係止部１ｂを有すると共に、前記隅連結部材２の上部及び下部に前記中仕切１ａの回動係止部１ｂに係止される回動停止部２ａが夫々設けられており、前記展示物Ｃ等を一つの枠部材１を回動させてパネル枠体Ｐａの表面と平行する方向から挿脱可能としたことを特徴とするものである。
【実施例】
【００１１】
以下、本発明の展示用パネルの実施例の図面を用いて詳細に説明すると、図１は本発明の展示用パネルの実施例の概要を説明するための概要側面図であり、図２は本発明の展示用パネルの次実施例の概要を説明するための概要正面図であり、図３は本発明の展示用パネルの実施例に用いる額縁の斜視図であり、図４は本発明の展示用パネルの実施例に用いる額縁の枠部材の斜視図であり、図５は本発明の展示用パネルの実施例に用いる額縁の隅連結部材の斜視図であり、図６は本発明の展示用パネルの実施例に用いる額縁の開閉状態を説明する要部断面図である。
【００１２】
即ち、本発明の実施例の展示用パネルＰは、一対のパネル枠体Ｐａであり、夫々のパネル枠体Ｐａは少なくとも２本の縦桟体と２本の横桟体で夫々矩形状に組設したもので、縦桟体及び横桟体はアルミニウム等の金属か、硬質合成樹脂、木製等で形成するもので、上方辺にヒンジ部Ｐｂを介装して枢動自在として背中合わせに立てた状態で適宜角度を固定して側面視Ａ字状に展示する一般的にＡ型展示用パネルＰと称されるもので、裏側に展示用パネルＰが一定角度で立設できるように角度調整手段を備えても、下端に床面に載置するための脚部を延設しても、移動するためのキャスターを設けても良く、更に、中程に横桟体や縦桟体を加えて後述する複数の額縁Ｇを並設固定を容易に行えるようにしても構わないものである。
【００１３】
そして、複数の額縁Ｇは夫々のパネル枠体Ｐａの表面の長手方向に、つまり、図１に図示する如く、上下方向に一列に並設固定しても、横方向に長手方向を配して左右方向に一列に並設固定してもも良く、一列に並設固定したことにより、額縁Ｇの枠部材１の後述する後面端辺１ｄは左右又は上下に露出した状態と成っているものである。
【００１４】
次いで、額縁Ｇは定められた長さの４本の枠部材１と、該４本の枠部材１を矩形状に組み付ける４隅に配設される４個の隅連結部材２とから成るものである。
【００１５】
次に、４本の枠部材１はアルミ等の軽金属、或いは、硬質の合成樹脂等で形成するもので、通常、夫々定められた長さを有する二対を平行させて矩形状に配設し、隣合う枠部材１は夫々角部を４５度にカットして直角に当接させて、隅連結部材２を用いて組み合わせるものである。
【００１６】
更に、夫々の枠部材１の長手方向は沿って中仕切１ａによって第１の部分及び第２の部分に分割されており、前記第１の部分は前記中仕切１ａと枠部材１の前面端辺を内側に夫々湾曲させた前面係合部１ｃとの間へ表面を板ガラス、アクリル樹脂等の透明板体で覆い、裏面へ背板を積層した展示物Ｃ等の周縁辺を支持する第１の空間Ａを定めるように形成されているものである。
【００１７】
一方、第２の部分は前記中仕切１ａと後面端辺１ｄの内側との間に後述する隅連結部材２が固定される第２の空間Ｂを定めるように形成されているものであり、つまり、隅連結部材２と係合して、枠部材１がその長手方向軸線のまわりに回動する為に、枠部材１の回動時に回動の軸線となる凹溝状の回動軸受部１ｅを後面端辺１ｄの内側に形成しているものである。
【００１８】
更には、前記中仕切１ａは枠部材１の前記回動軸受部１ｅを中心として中心角を略９０度とする円弧面を有するもので、該中仕切１ａの先端辺へは枠部材１と後述する隅連結部材２との回動を係止させるための回動係止部１ｂを第２の空間Ｂ側へ膨出させて形成しており、枠部材１の前面係合部１ｃと後面端辺１ｄとの間の外側は枠部材１の外側面と成るものである。
【００１９】
そして、隅連結部材２は前記枠部材１と同様なアルミ等の軽金属、或いは、硬質の合成樹脂等で一体に形成するものであり、前記枠部材１より短かく、外側角部を形成するための直角に交叉する側面２ｂを有し、その側面２ｂに枠部材１が互いに角度をつけて取付けられ、その側面２ｂは枠部材１が係合されるものである。
【００２０】
つまり、隅連結部材２の側面２ｂは板状体を直角に突き合わせたもので、夫々の側面２ｂを強固に接続するための断面円弧状の夫々の接続部２ｃと、夫々の接続部２ｃの下端に延設した基体２ｄと、基体２ｄは図５又は図６に図示する実施例では三角板状の平坦状に形成すると共に端辺に嵩高部２ｅとを備えているものであり、前記嵩高部２ｅの上面は展示物Ｃ等を裏面から支えるものであり、隅連結部材２の下面は掲示時に展示パネルと当接してビス等で固定させると共に、前記接続部２ｃの下部及び側面２ｂの上部に前記中仕切１ａの回動係止部１ｂに係止される回動停止部２ａが夫々設けられているものである。
【００２１】
次いで、本発明の展示パネルに用いる額縁Ｇの組立は枠部材１又は隅連結部材２の何れかの材料特性による弾性を利して連結させるものであり、枠部材１の第２の空間Ｂを形成する中仕切１ａと後面端辺１ｄの内側に形成した回動軸受部１ｅとの間、又は、隅連結部材２の側面２ｂの弾性を利して合着させるものであり、側面２ｂの一側辺を枠部材１の回動軸受部１ｅに嵌着させて回動させると、側面２ｂは弾性変形して、或いは、側面２ｂの他側辺は弾性変形する中仕切１ａを押し上げて第２の空間Ｂへ入り込むか、枠部材１の長手方向の端部から隅連結部材２の第２の空間Ｂに夫々の弾性に抗して挿通させることによって容易に組立てることができるものである。
【００２２】
そして、枠部材１を長手方向軸線まわりに回動軸受部１ｅを中心として回動させることによって、側面２ｂの他側辺は枠部材１の中仕切１ａの内側と摺接しながら回動するものであり、該枠部材１を回動させて閉状態とするには中仕切１ａの回動係止部１ｂを隅連結部材２に形成した下部の凹溝状に形成した回動停止部２ａと合着させるものであり、閉状態から開状態にする場合は、側面２ｂの上部に膨出させた回動停止部２ａと中仕切１ａの先端に膨出形成した回動係止部１ｂとが当接することによって回動を停止するものである。
【００２３】
次いで、枠部材１を開状態として隅連結部材２の嵩高部２ｅの上面の平坦面に透明板体と展示物Ｃと背板とを積層して載置して、枠部材１を長手方向軸線まわりに回動させることによって、前面係合部１ｃとで挟着することによって展示物Ｃを展示できるものである。
【００２４】
つまり、前記複数の額縁Ｇを展示用パネルＰの両面のパネル枠体Ｐａの夫々の表面の長手方向に一列に並設固定するもので、長手方向には額縁Ｇの枠部材１の後面端辺１ｄが露出しており、枠部材１を回動させて横方向に展示物Ｃ等をスライドさせることにより複数に並設した額縁Ｇの何れでも展示物Ｃの交換を容易に可能となるものである。
【００２５】
更に、次実施例の本発明の展示用パネルでは、両面のパネル枠体Ｐａの表面に少なくとも一辺の枠部材１の後面端辺１ｄを露出させた状態で複数の額縁Ｇを並設固定したもので、例えば、２列に並設しても少なくとも一辺の枠部材１の後面端辺１ｄが露出していれば、露出させた一辺の枠部材１を回動させることにより展示物Ｃの交換が横方向から容易に可能となるものであり、その他は実施例と同じであるので詳述は省略するものである。
【産業上の利用可能性】
【００２６】
本発明の展示用パネルは、両面に展示された複数の額縁に挿入した展示物Ｃを展示した状態でも収納した状態でも自在に交換ができ、外観もスマートなデザインを創作することができる展示用パネルを提供するものである。
【図面の簡単な説明】
【００２７】
【図１】図１は本発明の展示用パネルの実施例の概要を説明するための概要側面図である。
【図２】図２は本発明の展示用パネルの次実施例の概要を説明するための概要正面図である。
【図３】図３は本発明の展示用パネルの実施例に用いる額縁の斜視図である。
【図４】図４は本発明の展示用パネルの実施例に用いる額縁の枠部材の斜視図である。
【図５】図５は本発明の展示用パネルの実施例に用いる額縁の隅連結部材の斜視図である。
【図６】図６は本発明の展示用パネルの実施例に用いる額縁の開閉状態を説明する要部断面図である。
【符号の説明】
【００２８】
Ｐ      展示用パネ
Ｐａ    パネル枠体
Ｐｂ    ヒンジ部
Ｇ      額縁
１      枠部材
１ａ    中仕切
１ｂ    回動係止部
１ｃ    前面係合部
１ｄ    後面端辺
１ｅ    回動軸受部
Ａ      第１の空間
Ｂ      第２の空間
２      隅連結部材
２ａ    回動停止部
２ｂ    側面
２ｃ    接続部
２ｄ    基体
２ｅ    嵩高部
Ｃ      展示物
【図１】
2006195026.tif 000003
【図２】
2006195026.tif 000004
【図３】
2006195026.tif 000005
【図４】
2006195026.tif 000006
【図５】
2006195026.tif 000007
【図６】
2006195026.tif 000008